(57)【要約】【課題】ユーザの行動パターンに基づいて選択されたジェスチャーのみで操作できる情報処理装置、情報処理方法、及びプログラムを提供する。【解決手段】  ユーザに紐付けてキーワードを記憶する手段、属性情報を有するコンテンツを表示可能なコンテンツ表示手段に対面するユーザを識別する手段、属性情報が識別されたユーザに紐付けられたキーワードと所定の関係を有しコンテンツ表示手段で表示可能なコンテンツをユーザに選択可能に一覧表示する手段、及びユーザが選択可能に表示されたコンテンツの一つを選択する操作を行うと、選択されたコンテンツを表示させる手段を備えた。【選択図】図５
2015185912.tif 000002
【特許請求の範囲】
【請求項１】
ユーザに紐付けてキーワードを記憶するキーワード記憶手段と、
属性情報を有するコンテンツを表示可能なコンテンツ表示手段に対面するユーザを識別するユーザ識別手段と、
前記属性情報が前記識別されたユーザに紐付けられたキーワードと所定の関係を有し前記コンテンツ表示手段で表示可能なコンテンツを前記ユーザに選択可能に一覧表示するコンテンツ一覧表示手段と、
前記ユーザが選択可能に表示された前記コンテンツの一つを選択する操作を行うと、選択された前記コンテンツを前記コンテンツ表示手段に表示させるコンテンツ指定手段と、
を備えたことを特徴とする情報処理装置。
【請求項２】
前記操作は、時系列で取得する前記コンテンツ表示手段に対面する前記ユーザの画像に基づいて把握される前記ユーザの動作であるジェスチャーのうち所定のものであることを特徴とする請求項１の情報処理装置。
【請求項３】
ユーザに紐付けてキーワードを記憶するキーワード記憶ステップと、
属性情報を有するコンテンツを表示可能なコンテンツ表示手段に対面するユーザを識別するユーザ識別ステップと、
前記属性情報が前記識別されたユーザに紐付けられたキーワードと所定の関係を有し前記コンテンツ表示手段で表示可能なコンテンツを前記ユーザに選択可能に一覧表示するコンテンツ一覧表示ステップと、
前記ユーザが選択可能に表示された前記コンテンツの一つを選択する操作を行うと、選択された前記コンテンツを前記コンテンツ表示手段に表示させるコンテンツ指定ステップと、
からなることを特徴とする情報処理方法。
【請求項４】
キーワード記憶手段、ユーザ識別手段、コンテンツ一覧表示手段、及びコンテンツ指定手段を有する情報処理装置のコンピュータが読み取り可能なプログラムであって、
前記コンピュータに、
前記キーワード記憶手段が、ユーザに紐付けてキーワードを記憶する手順、
前記ユーザ識別手段が、属性情報を有するコンテンツを表示可能なコンテンツ表示手段に対面するユーザを識別する手順、
前記コンテンツ一覧表示手段が、前記属性情報が前記識別されたユーザに紐付けられたキーワードと所定の関係を有し前記コンテンツ表示手段で表示可能な前記コンテンツを前記ユーザに選択可能に一覧表示する手順、
前記コンテンツ指定手段が、前記ユーザが選択可能に表示された前記コンテンツの一つを選択する操作を行うと、選択された前記コンテンツを前記コンテンツ表示手段に表示させる手順、
を実行させるためのプログラム。
【発明の詳細な説明】
【技術分野】
【０００１】
本発明は、情報処理装置、情報処理方法、及びプログラムに関する。
【背景技術】
【０００２】
テレビジョン装置等の情報処理装置の制御はリモコンで行うのが一般的であるが、リモコンを用いずにジェスチャーで操作するものも提案されている（例えば、特許文献１参照。）。
特許文献１に記載の発明は、情報処理装置に関するものであり、具体的には、ユーザの動きを検出する手段に人感センサを使い、人感センサの出力を解析することにより、ユーザが操作制御装置の制御を意図して行う手振り等の連続的な動きを抽出し、ある一定期間以上同じ動きをした場合に、操作制御装置のあらかじめ決められた制御を行うようにしたものである。また、ユーザの動作検知状況を操作制御装置表示装置に表示し、ユーザがよりフィードバックの効果により、より正確な動作ができるようにしたものである。
【先行技術文献】
【特許文献】
【０００３】
【特許文献１】特開２０１１−１６６３３２号公報
【発明の概要】
【発明が解決しようとする課題】
【０００４】
しかしながら、特許文献１に記載の発明は、人感センサを用いてジェスチャー検出しているものの、ユーザの習慣やクセに対応しておらず、複数のジェスチャーの中から選択して使用しなければならない煩わしさがある。また、例えば、ユーザがデジタルコンテンツとしての放送録画番組を視聴中のＣＭ（コマーシャル）時には一時停止してトイレに行ったり、飲み物を取りに行ったりするような場合には、ＣＭ開始後に予想される動作は一時停止である。このような場合、一時停止以外の動作のジェスチャーを行うとユーザの意に反する動作や誤動作をしてしまう。
【０００５】
そこで、本発明の目的は、ユーザの行動パターンに基づいて選択されたジェスチャーのみで操作できる情報処理装置、情報処理方法、及びプログラムを提供することにある。
【課題を解決するための手段】
【０００６】
上記課題を解決するため、請求項１に係る発明は、ユーザに紐付けてキーワードを記憶するキーワード記憶手段と、属性情報を有するコンテンツを表示可能なコンテンツ表示手段に対面するユーザを識別するユーザ識別手段と、前記属性情報が前記識別されたユーザに紐付けられたキーワードと所定の関係を有し前記コンテンツ表示手段で表示可能なコンテンツを前記ユーザに選択可能に一覧表示するコンテンツ一覧表示手段と、前記ユーザが選択可能に表示された前記コンテンツの一つを選択する操作を行うと、選択された前記コンテンツを前記コンテンツ表示手段に表示させるコンテンツ指定手段と、を備えたことを特徴とする。
【発明の効果】
【０００７】
本発明によれば、ユーザの行動パターンに基づいて選択されたジェスチャーのみで操作できる情報処理装置、情報処理方法、及びプログラムの提供を実現することができる。
【図面の簡単な説明】
【０００８】
【図１】本発明の情報処理装置１００の一実施形態に係るハードウエア構成を示すブロック図である。
【図２】図１に示した情報処理装置１００、リモコン４０、及びスマートホン４１の平面図である。
【図３】図１に示した情報処理装置１００におけるユーザ好みのデジタルコンテンツを蓄積して準備するためのソフトウェアの構成図の一例である。
【図４】図１に示した情報処理装置によるユーザ好みのデジタルコンテンツを蓄積するための動作を示すフローチャートの一例である。
【図５】図１に示した情報処理装置によるジェスチャー動作を説明するためのフローチャートの一例である。
【図６】図１に示した情報処理装置のメイン画面１０１に表示される、メニュー画面としてのジェスチャー機能の設定の画面である。
【図７】（ａ）〜（ｎ）は、図１に示した情報処理装置１００に用いられるジェスチャーの一例を示した説明図であり、ユーザ自身の手の平の動きをユーザの視点から見た図である。
【図８】ユーザが番組を視聴中に関連する番組をタグとして画面上に表示し、タグをジェスチャーで選択する場合の説明図である。
【図９】ユーザが録画番組再生の視聴中にＣＭの時間となり一旦離席した後、着席し視聴を継続する場合についての説明図である。各枠中に情報処理装置１００のメイン画面の拡大図が示されている。
【発明を実施するための形態】
【０００９】
本発明の実施の形態について説明する。
本情報処理装置は、次のユーザの行動を予測して候補を２〜３選んで表示し、簡単なジェスチャーだけで見たい情報を表示させるものである。すなわち、本情報処理装置は、視聴中のユーザの好みに応じてメニューの選択肢を限定する機能を有する。具体的には、チャンネル選択であればユーザが視聴しそうもない番組を放送しているチャンネルは表示されず、録画番組の選択であれば所定の基準でユーザの好みのもの、鮮度の高いものが抽出して表示されるものである。
＜構  成＞
〔ハードウエア〕
図１は、本発明の情報処理装置１００の一実施形態に係るハードウエア構成を示すブロック図である。図２は、図１に示した情報処理装置１００、リモコン４０、及びスマートホン４１の平面図である。
【００１０】
図１に示す情報処理装置１００（例えば、テレビジョン受像器）は、受信部（チューナ）１１、ストリーム分離部（ＤＥＭＵＸ：demultiplexer：デマルチプレクサ）１２、映像デコード部１３、表示処理部（スケーラ）１４、表示部（モニタ）１５、パーソナルＤＢ（database）１６、サービス１７、ＧＰＳ（Global Positioning System：汎地球測位システム）１８、受信制御部１９、センサ２０、リモコン受信部２１、入力手段２２、カメラ２３、及びネットワーク接続部２４を有する。４０は、リモコンであり、４１はリモコン操作を行うためのソフトウェアがダウンロードされたスマートホンである。
【００１１】
受信部１１は、地上デジタル放送、ＢＳ（broadcasting satellite：放送衛星）放送、もしくはＣＳ（communication satellite：通信衛星）放送を受信し、受信したストリームをストリーム分離部１２に入力するチューナとして機能する回路である。受信部１１は、受信制御部１９の制御により受信するチャンネルを変更する機能を有する。
ストリーム分離部１２は、映像、音声、データ等の多重化されたストリームを分離するＤＥＭＵＸ処理を行う。ストリーム分離部１２は、分離されたストリームのうち映像に関するストリームを映像デコード部１３に入力する。その他のストリームについては本発明とは直接関係がないので説明を割愛する。
映像デコード部１３は、入力された映像に関するストリームをデコードして映像データとして後段の処理ブロックに入力する。ストリームについては限定しないが、例えば、ＭＰＥＧ(Moving Picture Experts Group)、Ｈ．２６４等の規格のものが挙げられる。
表示処理部１４は、表示部１５のメイン画面１０１（図１参照）にストリーム画像やサイドメニュー１０２（図１参照）の表示可能な範囲や大きさを制御する。
コンテンツ表示手段としての表示部１５は、例えば、ＨＤＴＶ（high-definition television：高品位テレビ）を表示することのできるモニタであり、例えば液晶表示装置が挙げられる。
【００１２】
受信制御部１９は、受信部１１、表示処理部１４、パーソナルＤＢ１６、サービス１７、ＧＰＳ１８、センサ２０、リモコン受信部２１、入力手段２２、及びカメラ２３からのデータに基づいて各種処理を行う機能を有する回路であり、例えばマイクロプロセッサが挙げられる。受信制御部１９は、抽出手段１９ａ、絞り込み手段１９ｂ、収集手段１９ｃ、画像処理手段１９ｄ、検索手段１９ｅ、及び分析手段１９ｆを有する。
受信制御部１９は、入力手段２２、リモコン４０もしくはスマートホン４１から入力された電源オンオフ、番組切り替えの指示、音量調節等の指示に基づき電源オンオフ、チャンネル切り替え等の制御をする機能を有する。
【００１３】
抽出手段１９ａは、パーソナルＤＢ１６に蓄積したデータからキーワードを抽出する機能を有する。
絞り込み手段１９ｂは、キーワードを頻度でランキングすることで興味情報を絞り込む機能を有する。
収集手段１９ｃは、絞り込んだ興味情報に関連するデジタルコンテンツを収集する機能を有する。
画像処理手段１９ｄは、ユーザの過去のライフログをビジュアル表示、検索するための第一のサイドメニュー１０２ａ（図１参照）、及びショッピングサイトと連携し、ユーザの嗜好に応じた商品をネットショッピングするための第二のサイドメニュー１０２ｂ（図１参照）、及びユーザの嗜好に応じて収集したデジタルコンテンツ毎にまとめたチャンネル用の第三のサイドメニュー１０２ｃ（図１参照）を、デジタルコンテンツを表示するメイン画面と共に表示部１５に表示させる機能を有する。
【００１４】
また、画像処理手段１９ｄは、ユーザがデジタルコンテンツの視聴中に、関連するデジタルコンテンツをメイン画面１０１にタグとして表示する機能を有する。
これらのサイドメニューの選択は、ユーザによるリモコン４０やスマートホン４１の操作で行うことが可能であるが、ジェスチャーにより切り替えることも可能である。
検索手段１９ｅは、ユーザの興味情報に基づいてネットワーク接続部２４により接続されたネットワークのサイトからユーザの興味情報に関連するデータを検索する機能を有する。
分析手段１９ｆは、抽出したキーワードのジャンル、頻度等を分析する機能を有する。
有効化手段１９ｇは、ユーザが情報処理装置の前でデジタルコンテンツとしての放送番組の視聴、チャンネル切り替え、音量調整、一時停止、早送り、巻き戻し、スロー再生、スキップ、番組録画予約、録画番組再生、編集等の動作に対応したジェスチャーのうち、ユーザの行動パターンに基づいて選択したジェスチャーのみを有効とし、残りのジェスチャーを無効（デフォルト）とする機能を有する。例えば、前述したような、ユーザが放送録画番組を視聴中のＣＭ時には一時停止してトイレに行ったり、飲み物を取りに行ったりするような場合には、ＣＭ開始後に予想される動作は一時停止である。このため、一時停止に対応するジェスチャーのみ有効とし、他の動作（例えば、チャンネル切り替え、音量調整、録画開始等）に対応するジェスチャーを無効とする。これにより、誤動作を防止することができる。
切替手段１９ｈは、メイン画面１０１やサイドメニュー１０２の表示を切り替える機能を有する。
ユーザ識別手段１９ｉは、コンテンツ表示手段としての表示部（モニタ）１５に対面するユーザを識別する機能を有する。
コンテンツ一覧表示手段１９ｊは、属性情報が識別されたユーザに紐付けられたキーワードと所定の関係を有し表示部１５で表示可能なコンテンツをユーザに選択可能に一覧表示する機能を有する。また、コンテンツ一覧は、ユーザの操作に応じて表示するようにしてもよく、所定のタイミング（現在視聴中のコンテンツの終了時など）に表示するようにしてもよい。
コンテンツ指定手段１９ｋは、ユーザが選択可能に表示されたコンテンツの一を選択する操作を行うと、選択されたコンテンツを表示部１５に表示させる機能を有する。
これら抽出手段１９ａ、絞り込み手段１９ｂ、収集手段１９ｃ、画像処理手段１９ｄ、検索手段１９ｅ、分析手段１９ｆ、有効化手段１９ｇ、切替手段１９ｈ、ユーザ識別手段１９ｉ、コンテンツ一覧表示手段１９ｊ、及びコンテンツ指定手段１９ｋは、ソフトウェアで構成される。
【００１５】
受信制御部１９にて行われるデジタルコンテンツの分類は、取得したデジタルコンテンツデータの一部を表示するサムネイルを生成し、興味情報の各々に付与された属性毎にまとめ、同一属性を有する情報に対する処理の基礎となった指示の履歴に基づいて、ユーザにとって優先度が高いか否かで判断する。
また、優先度が高いとは、ユーザの視聴する番組のジャンル、出演者、もしくは団体毎に視聴回数、及び視聴時間を測定し、視聴回数、及び視聴時間の多い番組を興味度が高いとする。
【００１６】
キーワード記憶手段としてのパーソナルＤＢ１６は、ユーザ毎にファイルに分けて興味情報やキーワードや重要キーワード等を記憶する。すなわち、パーソナルＤＢ１６は、ユーザに紐付けてキーワードを記憶する機能を有する。
サービス１７は、情報処理装置１００がネットワーク接続装置２４によりネットワーク接続されている場合に、得られた情報を記憶する装置である。
ＧＰＳ１８は、情報処理装置１００の現在位置に関する情報を探索する装置である。
センサ２０は、情報処理装置１００の前面のリモコン使用可能領域に人がいるか否か、距離はどのくらいかを判断する。
リモコン受信部２１は、リモコン４０もしくはスマートホン４１との間でチャンネル切り替えや音量調節等の制御信号や応答信号を授受する。
入力手段２２は、例えば、電源ボタン、チャンネル切り替えボタン、音量ボタン、もしくは入力切換ボタンである。
カメラ２３は、情報処理装置１００の前面で図には示されていないリモコンを操作するユーザを認識（認識）するため撮影し、電気信号に変換する機能を有する。これは、ユーザが複数存在する場合にユーザ毎に顔を認識し、興味情報を紐づけるのに利用される。尚、カメラ２３は、図では表示部１５を支持する支柱に設けられているが、本発明はこれに限定されるものではなく、表示部１５の外周部に設けてもよい。
ネットワーク接続部２４は、図示しないネットワークと無線もしくは有線を用いて接続する機能を有する。
【００１７】
＜ソフトウェア＞
［準備動作］
図３は、図１に示した情報処理装置１００におけるユーザ好みのデジタルコンテンツを蓄積して準備するためのソフトウェアの構成図の一例である。
ユーザの行動３１やユーザの状態３２がＴＰＯ（time position occasion：時、所、場合）に応じて分析され、パーソナルＤＢ（データベース）１６に記憶される。パーソナルＤＢ１６には例えばＨＤＤ（ハードディスクドライブ）が用いられる。
ＴＰＯは、ユーザが誰であるかに加え、ユーザの行動３１及びユーザの状態３２を含む。ユーザの行動３１としては、例えば、ＴＶ／録画コンテンツ、ＳＮＳ／Ｔｗｉｔｔｅｒ（ツイッター「以下、登録商標」）、メール／ブラウザ、検索、スケジューラ、及びショッピング等が挙げられる。
ＴＶ／録画コンテンツは、放送時間、チャンネル、番組名、ジャンル、出演者名、録画時間、及び録画モード等を意味する。
ＳＮＳは、ソーシャルネットワーキングサービスの略語であり、人と人とのつながりを促進・サポートするＷｅｂサイトである。友人・知人間のコミュニケーションを円滑にする手段や場を提供したり、趣味や嗜好、居住地域、出身校等を通じて新たな人間関係を提供したりする、会員制のサービスである。Ｔｗｉｔｔｅｒは、１４０文字以内の「ツイート」と称される短文を投稿できる情報サービスで、ツイッター社によって提供されている。
ＳＮＳやＴｗｉｔｔｅｒで話題からキーワードを分析することでユーザの興味情報を得ることができる。
メールは、ユーザが他者との間で情報を授受するものであり、メールを分析すればユーザの興味情報を得ることができる。
ブラウザは、インターネット上の情報を探し出し表示するためのソフトウェアであり、例えば、ネットスケープ・ナビゲータやインターネット・エクスプローラーが挙げられる。ブラウザをユーザが利用するときのキーワードを分析すれば興味情報が得られる。
検索は、キーワードを使ってユーザが知りたい情報を得るので、キーワードからユーザの興味情報が得られる。
スケジューラは、個人のスケジュールを管理するソフトウェアであり、スケジュールのキーワードからユーザの興味情報を得ることができる。
ショッピングは、ユーザがいつ、どのような商品を、いくつ購入したか履歴に残るので、ユーザの興味情報を得ることができる。
【００１８】
一方、ユーザの状態３２としては、位置、移動検知手段、表情（集中度）、及び感情状態が挙げられる。
位置は、ユーザが情報処理装置１００を使用しているときの位置であり、情報処理装置１００のＧＰＳ１８よりユーザが情報処理装置１００を利用しているときの位置情報を把握することができる。
移動検知手段は、例えば、ユーザが電車で移動している状態か、自動車で移動している状態か、もしくは徒歩で移動している状態かを把握する手段であり、例えば加速度センサや振動センサ等のセンサが挙げられる。この移動検知手段はユーザがスマートホンをリモコンとして利用する場合に用いられる。
表情（集中度）は、ユーザの表情が硬いか柔らかい、もしくはユーザが画面の特定箇所を凝視しているか、退屈しているか、居眠りしているか等を画像認識処理により判断するものである。
感情状態は、ユーザが喜怒哀楽、無表情（真顔）のいずれを示しているか等を画像認識処理により判断するものである。
【００１９】
パーソナルＤＢ１６に記憶されたデータは、必要に応じてリコメンドエンジン３４に送られる。リコメンドエンジン３４はユーザに必要と判断されるデータを提供するためのソフトウェアであり、サービス１７に接続されている。リコメンドエンジン３４はサービス１７との間で、サーチクエリーとサーチリザルトとを行う。
リコメンドエンジン３４は重要キーワードを抽出する重要キーワード抽出部３５と、ユーザランキングによる絞り込みを行う絞り込み部３６とを有する。重要キーワードは、ユーザ毎に異なる興味や関心の高いキーワードであり、頻出度の高い固有名詞（例えば、人名、キャラクタ名、曲名、番組名、国名、都市名、地名、競技名、ゲーム名等）が挙げられる。重要キーワードにはタグが貼られた番組やシーンに関連するキーワードを含む。ユーザランキングは、統計数学的処理を施してユーザ毎に抽出されたキーワードを頻度順にランク付けをしたものである。絞り込みとは、ランク付けされたキーワードを上位から所定の順位まで選択して絞り込んだものをすぐに提供できるように確保しておくことである。
【００２０】
リコメンドエンジン３４からの出力される情報の中からショッピング情報を抽出するユーザ好みのデジタルコンテンツを蓄積するデジタルコンテンツ蓄積部３７により蓄積される。情報処理装置１００はユーザ好みのデジタルコンテンツを表示できるように分類、整理した状態で蓄積する。
【００２１】
［ジェスチャー動作］
図４は、図１に示した情報処理装置によるユーザ好みのデジタルコンテンツを蓄積するための動作を示すフローチャートの一例である。
まず、ＴＰＯの判定が開始されると、情報抽出エンジンが作動し（ステップＳ１）、パーソナルＤＢとの間で情報の授受が行われる（ステップＳ５）。
次に検索エンジンが作動し（ステップＳ２）、サービスとの間でサーチクエリーとサーチリザルトとが行われ、タグの貼られたシーンや番組等に関連する情報を検索する（ステップＳ６）。
マッチングエンジンが作動し（ステップＳ３）、重要キーワードを用いてショッピングに関連するショッピング情報を抽出し（ステップＳ４）、表示できるように分類整理し、蓄積する（ステップＳ５）。
【００２２】
図５は、図１に示した情報処理装置によるジェスチャー動作を説明するためのフローチャートの一例である。
まず、ユーザが視聴中のデジタルコンテンツを分析する。すなわち、ユーザが視聴中のデジタルコンテンツのジャンル（ドラマ、バラエティー、音楽、スポーツ、映画、アニメ、趣味、教育、劇場、公演等）、出演者、ロケ地等について分析する（ステップＳ１１）。
視聴中のデジタルコンテンツに関連するデジタルコンテンツを検索する。例えば、視聴中のデジタルコンテンツがサッカーの試合の場合、ユーザの好みのチームの試合、ユーザの好みのチームもしくは選手のインタビュー番組等を検索する（ステップＳ１２）。
検索したデジタルコンテンツのデータを例えばパーソナルＤＢ１６に蓄積する（ステップＳ１３）。
イベントが発生したか否か判断する。イベントとは、デジタルコンテンツの視聴中にＣＭが入ったり、関連番組の放送時間が接近したり、デジタルコンテンツが終了したりするような何らかの変化を言う（ステップＳ１４）。
イベントが発生していない場合（ステップＳ１４／Ｎ）、ステップＳ１１に戻り、イベントが発生した場合（ステップＳ１４／Ｙ）、ユーザの行動パターンをパーソナルＤＢ１６（図１参照）から読み出す（ステップＳ１５）。
ユーザが視聴中のデジタルコンテンツに関連するデジタルコンテンツをメイン画面１０１にタグとして表示する。タグはずらして重畳表示してもよく、縦横に配列してもよく、円周状に配列してもよい（ステップＳ１６）。
複数のジェスチャーからイベント及びユーザの行動パターンに基づいたジェスチャーを選択して有効化する。例えば、ユーザの行動パターンとして、録画したドラマを視聴するときはいつも早見（１．３倍速再生）＋ＣＭスキップする場合、イベントとしては１．３倍速再生ボタンのオン動作、及びＣＭ開始となるので、１．３倍再生ボタンのオン動作、ＣＭスキップボタンのオン動作に対応するジェスチャーが選択され、有効化することが挙げられる（ステップＳ１７）。
ユーザが選択されたジェスチャーを行うと、選択されたジェスチャーに基づく動作、例えば前述の場合、１．３倍速再生、ＣＭスキップ再生が実施される。この結果、リモコン４０やスマートホン４１を操作せず、ユーザの行動パターンに基づいて選択されたジェスチャーのみで操作できる（ステップＳ１８）。
【００２３】
図６は、図１に示した情報処理装置のメイン画面１０１に表示される、メニュー画面としてのジェスチャー機能の設定の画面である。
リモコン４０もしくはスマートホン４１のボタン操作で図６に示すようなジェスチャー機能の設定画面が表示される。
図６には、注意書きの一例として、「ハンドジェスチャーでは、リモコンやスマートホンを使わずに手の平のジェスチャーだけで操作をおこなうことができます。」の文字情報が表示される。
【００２４】
図６に示す画面の左側には複数（図では４つであるが限定されない。）のボタンＢ１〜Ｂ４が表示される。「練習する」のボタンＢ１の横には例えば、「各ハンドジェスチャーの方法を練習することができます。ハンドジェスチャーを快適に使うには是非とも練習することをお薦めします。」の文字情報が表示される。ハンドジェスチャーを快適に使うにはジェスチャーの認識率を向上させる必要があり、そのため、ユーザに練習することを促しているのである。「使用する」のボタンＢ２の横には「ジェスチャー機能を使用します。」の文字情報が表示され、「終了する」のボタンＢ３の横には「ジェスチャー機能を終了します。」の文字情報が表示される。「キャンセル」のボタンＢ４は表示されている画面を終了するためのボタンである。
【００２５】
＜ジェスチャー＞
図７（ａ）〜（ｎ）は、図１に示した情報処理装置１００に用いられるジェスチャーの一例を示した説明図であり、ユーザ自身の手の平の動きをユーザの視点から見た図である。本実施形態では、ユーザが右手をカメラ２３にかざした場合で説明するが左手であってもよい。
図中の矢印で、一本線に矢印（→）は手形状や手の状態の遷移を表し、中抜きの矢印は手の平の移動を表す。
本実施形態において１２種類のジェスチャーにより、情報処理装置１００を操作しているが、本発明はこれに限定されるものではない。
図７（ａ）は、ユーザの右手によるマウスカーソル操作を示す図であり、両矢印のように移動させる場合を示しているが限定されるものではない。
図７（ｂ）は、「パー→グー→パー」のように手の平を開いたり閉じたりすることで左クリックのジェスチャー動作となる。
図７（ｃ）〜（ｅ）は、「パー→グー→グーで動かす→パー」のように手の平を動かすことでドラッグ及びドロップのジェスチャー動作となる。
図７（ｆ）は、手の平を拡げたまま矢印方向（右方向）にマウスカーソル操作より素早く動かすことで右フリックのジェスチャー動作となる。ここで、「フリック」とは、本来タッチパネルにおける操作の一種であり、画面を軽く払うように指を動かすことであるが、手の平を素早く動かすことを含む。
【００２６】
図７（ｇ）は、手の平を拡げたまま矢印方向（左方向）にマウスカーソル操作より素早く動かすことで左フリックのジェスチャー動作となる。
【００２７】
図７（ｈ）は、手の平を拡げたまま矢印方向（上方向）にマウスカーソル操作より素早く動かすことで上フリックのジェスチャー動作となる。
【００２８】
図７（ｉ）は、手の平を拡げたまま矢印方向（下方向）にマウスカーソル操作より素早く動かすことで下フリックのジェスチャー動作となる。
【００２９】
図７（ｊ）は、手の平を拡げたまま時計方向の円を描くことで時計回りのサークルのジェスチャー動作となる。
【００３０】
図７（ｋ）は、手の平を拡げたまま反時計方向の円を描くことで反時計回りのサークルのジェスチャー動作となる。
【００３１】
図７（ｌ）は、手の平を拡げたまま情報処理装置１００の表示装置１０４に向かって押し指すことでプッシュのジェスチャー動作となる。
【００３２】
図７（ｍ）は、手の平を拡げたまま情報処理装置１００の表示装置１０４から離れる方向に押し指すことでプルのジェスチャー動作となる。
【００３３】
図７（ｎ）は、手の平を拡げたまま情報処理装置１００の表示装置１０４に向かって左右に振ることでウェイブのジェスチャー動作となる。本ジェスチャー動作をウェイブともいう。
【００３４】
ここで、「クリック」はマウスの左クリック、「ドラッグ＆ドロップ」はマウスのドラッグ＆ドロップに対応する。また、右フリックは、「進む」、左フリックは「戻る」、上フリックは「上スクロール」、下フリックは「下スクロール」、時計回りのサークルは「拡大」、反時計回りのサークルは「縮小」、「プル」は、図示しない携帯情報端末の起動、「ウェイブ」は、スタート画面に戻るコマンド操作に対応する。
ここで、上述したジェスチャー動作は、トレーニング手段による練習中は、あくまで手の平の動きがジェスチャーとして認識可能か否かを確認するためであり、何ら操作に影響を与えるものではない。
【実施例１】
【００３５】
図８は、ユーザが番組を視聴中に関連する番組をタグとして画面上に表示し、タグをジェスチャーで選択する場合の説明図である。
図には示さないユーザが情報処理装置１００のメイン画面１０１でサッカーの試合の番組を視聴中に、情報処理装置１００が番組の内容を分析し、関連する番組の中から最もユーザが興味を起こしそうな番組をメイン画面１０１上に、例えばタグＴ１，Ｔ２，Ｔ３，…として重畳表示する。ユーザが情報処理装置１００に向かって矢印Ｐ１のように指もしくは掌でジェスチャーを行うと、タグＴ１，Ｔ２，Ｔ３，…の表示位置が奥から前面に順次入れ替わる。例えば、ユーザが夜いつも見ている番組程前面に表示される。
タグＴ１，Ｔ２，Ｔ３，…の中にユーザが見たい番組のタグがＴ１であった場合、情報処理装置１００に向かって矢印Ｐ２方向に指もしくは掌でタグＴ１を引くジェスチャーを行うとそのタグＴ１に関連する番組に切り替わる。このように情報処理装置１００が推薦する情報も関連情報として簡単に選択することができる。
【実施例２】
【００３６】
図９は、ユーザが録画番組再生の視聴中にＣＭの時間となり一旦離席した後、着席し視聴を継続する場合についての説明図である。各枠中に情報処理装置１００のメイン画面の拡大図が示されている。
ユーザが情報処理装置１００で番組を視聴している時にＣＭが入ることがある。このような場合、例えばユーザが離席して飲み物を取りに行ったり、トイレに行ったりすることがあり得る。多くの場合、そのまま再生せずに一時停止する。このような場合リモコン操作の代わりにジェスチャーで一時停止することができる。この場合、ジェスチャーの種類は一時停止及び再生の２種類だけあればよいので、情報処理装置１００は一時停止と再生のジェスチャーのみ受け付けることになる。これにより、誤動作が防止される。
一時停止のジェスチャーが矢印Ｐ１０方向の弧であり、一時停止後の再生のジェスチャーが矢印Ｐ１１方向の弧であるとすればよい。
ユーザが例えば、ドラマの画面１０１ａを視聴中にＣＭの画面１０１ｂが表示された時に指もしくは掌で矢印Ｐ１０方向の弧のジェスチャーをすることにより、情報処理装置１００はＣＭの画面１０１ｂの１シーンのまま一時停止する。情報処理装置１００が一時停止したことをユーザが確認後、飲み物を取りにいき、戻って着席した後、指もしくは掌で矢印Ｐ１１方向の弧のジェスチャーをすることにより、情報処理装置１００が再度再生し、ＣＭを経てドラマの画面１０１ｃを表示する。
【００３７】
＜作用効果＞
以上のように本実施形態によれば、ユーザの行動パターンに基づいて選択されたジェスチャーのみ受け付けるように構成することで、簡単なジェスチャーで誤動作無く操作できる情報処理装置が実現できる。
【００３８】
＜プログラム＞
以上で説明した本発明に係る情報処理装置は、コンピュータで処理を実行させるプログラムによって実現されている。一例として、プログラムにより本発明の機能を実現する場合の説明を以下で行う。
【００３９】
例えば、
キーワード記憶手段、ユーザ識別手段、コンテンツ一覧表示手段、及びコンテンツ指定手段を有する情報処理装置のコンピュータが読み取り可能なプログラムであって、
コンピュータに、
キーワード記憶手段が、ユーザに紐付けてキーワードを記憶する手順、
ユーザ識別手段が、属性情報を有するコンテンツを表示可能なコンテンツ表示手段に対面するユーザを識別する手順、
コンテンツ一覧表示手段が、属性情報が識別されたユーザに紐付けられたキーワードと所定の関係を有しコンテンツ表示手段で表示可能なコンテンツをユーザに選択可能に一覧表示する手順、
コンテンツ指定手段が、ユーザが選択可能に表示されたコンテンツの一つを選択する操作を行うと、選択されたコンテンツをコンテンツ表示手段に表示させる手順、
を実行させるためのプログラムが挙げられる。
【００４０】
このようなプログラムは、コンピュータに読み取り可能な記憶媒体に記憶されていてもよい。
【００４１】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００４２】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００４３】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４４】
１１    受信部（チューナ）
１２    ストリーム分離部（ＤＥＭＵＸ）
１３    映像デコード部
１４    表示処理部（スケーラ）
１５    表示部（モニタ）
１６    パーソナルＤＢ
１７    サービス
１８    ＧＰＳ
１９    受信制御部
１９ａ    抽出手段
１９ｂ    絞り込み手段
１９ｃ    収集手段
１９ｄ    画像処理手段
１９ｅ    検索手段
１９ｆ    分析手段
１９ｇ    有効化手段
１９ｈ    切替手段
１９ｉ    ユーザ識別手段
１９ｊ    コンテンツ一覧表示手段
１９ｋ    コンテンツ指定手段
２０    センサ
２１    リモコン受信部
２２    入力手段
２３    カメラ
２４    ネットワーク接続部
３４    リコメンドエンジン
３５    重要キーワード抽出部
３６    絞り込み部
３７    デジタルコンテンツ蓄積部
４０    リモコン
４１    スマートホン
１００    情報処理装置
１０１    メイン画面
１０２、１０２ａ、１０２ｂ、１０２ｃ    サイドメニュー
【図１】
2015185912.tif 000003
【図２】
2015185912.tif 000004
【図３】
2015185912.tif 000005
【図４】
2015185912.tif 000006
【図５】
2015185912.tif 000007
【図６】
2015185912.tif 000008
【図７】
2015185912.tif 000009
【図８】
2015185912.tif 000010
【図９】
2015185912.tif 000011